【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
熱源により加熱される第一回転体と、前記第一回転体に加圧接触する第二回転体と、を有する定着装置と、
装置の各機器を制御する制御部と、
前記制御部に画像形成指令を出すコントローラとを備え、
前記定着装置の立ち上げ時に、前記第一回転体を回転させる回転動作を行いながら前記熱源により前記第一回転体を加熱する加熱動作を行なって、前記第一回転体を所定の温度に昇温させる定着立ち上げ動作を行なう画像形成装置において、
前記コントローラの立ち上げが完了するタイミングに合わせて前記定着立ち上げ動作が完了するように、前記定着立ち上げ動作における前記回転動作の開始タイミングおよび前記加熱動作の開始タイミングの少なくとも一方を、前記コントローラの立ち上げ動作の開始に対して遅らせることを特徴とする画像形成装置。
【請求項２】
熱源により加熱される第一回転体と、前記第一回転体に加圧接触する第二回転体とを有する定着装置と、
装置の各機器を制御する制御部と、
前記制御部に画像形成指令を出すコントローラとを備え、
前記定着装置の立ち上げ時に、前記第一回転体を回転させる回転動作を行いながら前記熱源により前記第一回転体を加熱する加熱動作を行なって前記第一回転体を所定の温度に昇温させる定着立ち上げ動作を行なう画像形成装置において、
前記コントローラを立ち上げるコントローラ立ち上げ動作および当該画像形成装置に接続された周辺機を立ち上げる周辺機立ち上げ動作のうち、立ち上げ完了が遅い方の立ち上げ動作の完了タイミングに合わせて前記定着立ち上げ動作が完了するように、前記定着立ち上げ動作における前記回転動作の開始タイミングおよび前記加熱動作の開始タイミングの少なくとも一方を、前記立ち上げ完了が遅い方の立ち上げ動作の開始に対して遅らせることを特徴とする画像形成装置。
【請求項３】
請求項２に記載の画像形成装置において、
画像形成指示情報を受信したときの当該画像形成装置の立ち上げ時において、前記画像形成指示情報に前記周辺機を使用する指示情報がないときは、前記コントローラ立ち上げ動作が完了するタイミングに合わせて前記定着立ち上げ動作が完了するように、前記定着立ち上げ動作における前記回転動作の開始タイミングおよび前記加熱動作の開始タイミングの少なくとも一方を、前記コントローラの立ち上げ動作の開始に対して遅らせることを特徴とする画像形成装置。
【請求項４】
請求項２または３に記載の画像形成装置において、
周辺機立ち上げ動作中に、周辺機立ち上げ動作の完了タイミングが変更となったときは、前記定着立ち上げ動作における前記回転動作の開始タイミングおよび前記加熱動作の開始タイミングの少なくとも一方の開始タイミングの再設定を行なうことを特徴とする画像形成装置。
【請求項５】
画像を作像する作像部と、
熱源により加熱される第一回転体と、前記第一回転体に加圧接触する第二回転体と、を有する定着装置と、
装置の各機器を制御する制御部と、
前記制御部に画像形成指令を出すコントローラとを備え、
前記定着装置の立ち上げ時に、前記第一回転体を回転させる回転動作を行いながら前記熱源により前記第一回転体を加熱する加熱動作を行なって前記第一回転体を所定の温度に昇温させる定着立ち上げ動作を行なう画像形成装置において、
前記コントローラを立ち上げるコントローラ立ち上げ動作および前記作像部を立ち上げる作像部立ち上げ動作のうち、立ち上げ完了が遅い方の立ち上げ動作の完了タイミングに合わせて前記定着立ち上げ動作が完了するように、前記定着立ち上げ動作における前記回転動作の開始タイミングおよび前記加熱動作の開始タイミングの少なくとも一方を、前記立ち上げ完了が遅い方の立ち上げ動作の開始に対して遅らせることを特徴とする画像形成装置。
【請求項６】
請求項５に記載の画像形成装置において、
前記作像部立ち上げ動作中に、作像部立ち上げ動作の完了タイミングが変更となったときは、前記定着立ち上げ動作における前記回転動作の開始タイミングおよび前記加熱動作の開始タイミングの少なくとも一方の開始タイミングの再設定を行なうことを特徴とする画像形成装置。
【請求項７】
画像を作像する作像部と、
熱源により加熱される第一回転体と、前記第一回転体に加圧接触する第二回転体と、を有する定着装置と、
装置の各機器を制御する制御部と、
前記制御部に画像形成指令を出すコントローラとを備え、
前記定着装置の立ち上げ時に、前記第一回転体を回転させる回転動作を行いながら前記熱源により前記第一回転体を加熱する加熱動作を行なって前記第一回転体を所定の温度に昇温させる定着立ち上げ動作を行なう画像形成装置において、
前記コントローラを立ち上げるコントローラ立ち上げ動作、前記作像部を立ち上げる作像部立ち上げ動作および当該画像形成装置に接続された周辺機を立ち上げる周辺機立ち上げ動作のうち、立ち上げ完了が最も遅い立ち上げ動作の立ち上げ完了タイミングに合わせて前記定着立ち上げ動作が完了するように、前記定着立ち上げ動作における前記回転動作の開始タイミングおよび前記加熱動作の開始タイミングの少なくとも一方を、前記立ち上げ完了が最も遅い立ち上げ動作の開始タイミングに対して遅らせることを特徴とする画像形成装置。
【請求項８】
請求項７に記載の画像形成装置において、
前記周辺機立ち上げ動作中に、周辺機立ち上げ動作の完了タイミングが変更となったとき、または、前記作像部立ち上げ動作中に、作像部立ち上げ動作の完了タイミングが変更となったときは、前記定着立ち上げ動作における前記回転動作の開始タイミングおよび前記加熱動作の開始タイミングの少なくとも一方の開始タイミングの再設定を行なうことを特徴とする画像形成装置。
【請求項９】
請求項１乃至８いずれか一項に記載の画像形成装置において、
前記定着立ち上げ動作における前記回転動作の開始タイミングを遅らせることを特徴とする画像形成装置。
【請求項１０】
請求項１乃至９いずれか一項に記載の画像形成装置において、
前記定着装置の立ち上げ開始前の当該画像形成装置の状態に応じて、前記定着立ち上げ動作における第一回転体の回転動作および前記熱源による加熱動作の少なくとも一方の開始タイミングを変更することを特徴とする画像形成装置。
【請求項１１】
請求項１０に記載の画像形成装置において、
前記定着装置の立ち上げ開始前の当該画像形成装置の状態が、電源ＯＦＦ状態のときと、省電力待機状態のときとで、前記定着立ち上げ動作における前記回転動作および前記加熱動作の少なくとも一方の開始タイミングを変更することを特徴とする画像形成装置。
【請求項１２】
請求項１１に記載の画像形成装置において、
前記電源ＯＦＦ状態からの前記定着装置の立ち上げ時方が待機状態からの前記定着装置の立ち上げ時に比べて、前記開始タイミングが遅いことを特徴とする画像形成装置。
【請求項１３】
請求項１乃至１２いずれか一項に記載の画像形成装置において、
前記定着装置は、前記熱源への電力供給をＯＮ／ＯＦＦするリレースイッチを備え、
前記加熱動作には、前記リレースイッチをＯＦＦからＯＮに切り替える動作を含むことを特徴とする画像形成装置。
【請求項１４】
請求項１乃至１３いずれか一項に記載の画像形成装置において、
前記定着立ち上げ動作は、前記回転動作の後に前記加熱動作を開始することを特徴とする画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、画像形成装置に関するものである。
【手続補正４】
【補正対象書類名】明細書
【補正対象項目名】０００５
【補正方法】変更
【補正の内容】
【０００５】
上述した課題を解決するために、本発明は、熱源により加熱される第一回転体と、前記第一回転体に加圧接触する第二回転体と、を有する定着装置と、装置の各機器を制御する制御部と、前記制御部に画像形成指令を出すコントローラとを備え、前記定着装置の立ち上げ時に、前記第一回転体を回転させる回転動作を行いながら前記熱源により前記第一回転体を加熱する加熱動作を行なって、前記第一回転体を所定の温度に昇温させる定着立ち上げ動作を行なう画像形成装置において、前記コントローラの立ち上げが完了するタイミングに合わせて前記定着立ち上げ動作が完了するように、前記定着立ち上げ動作における前記回転動作の開始タイミングおよび前記加熱動作の開始タイミングの少なくとも一方を、前記コントローラの立ち上げ動作の開始に対して遅らせることを特徴とするものである。